【手続補正書】
【提出日】平成26年12月11日(2014.12.11)
【手続補正１】
【補正対象書類名】明細書
【補正対象項目名】００１１
【補正方法】変更
【補正の内容】
【００１１】
請求項１の含有化学物質収集情報の評価システムは、調査対象である製品又はアッセン部品である部品集合体が含有化学物質を規制する制度の規制対象となるか否かの判断材料を提供するために、前記部品集合体を構成する各部品の含有化学物質の情報が調査の結果得られた場合にその情報を回収し、前記各部品のうち含有化学物質の情報を回収できた部品である回収部品の含有化学物質情報を使用して前記部品集合体に含まれる少なくとも規制対象となる化学物質についてその化学物質ごとに含有量又は含有率の少なくともいずれかを表示し、前記部品集合体が規制対象となるか否かの評価を支援する含有化学物質収集情報の評価システムにおいて、
データを記憶する記憶部、演算処理をする処理部、データ又は信号を入出力する入出力部及びその入出力部に接続された表示手段を有し、
前記処理部には、
前記記憶部における部品構成情報蓄積部に記憶された部品構成情報を参照し、これ以上細分化できない部品である末端部品について、同じ構成の末端部品である同構成部品を検索し、前記末端部品のうち同じ構成の部品について、前記同構成部品である末端部品の部品集合体全体に含まれる個数である同構成部品個数を把握する同構成部品把握手段と
その検索された前記同構成部品のうち一つの末端部品の含有化学物質の含有量を、前記記憶部における部品含有化学物質情報蓄積部を参照して抽出する部品含有化学物質情報抽出手段と、
前記同構成部品のうち一つの末端部品の含有化学物質情報を抽出することによって得られた含有化学物質の含有量に、前記同構成部品個数を乗じることにより、部品集合体全体中の同じ構成の部品に含まれる含有化学物質含有量の合計値を化学物質ごとに算出する同構成部品含有量合計値算出手段と、
異なる構成の末端部品についての前記同構成部品含有量合計値をすべて合算し、前記部品集合体全体の含有化学物質の含有量又は含有率の少なくともいずれかを化学物質ごとに算出する全体含有化学物質情報算出手段とを有することを特徴とする。
【手続補正２】
【補正対象書類名】明細書
【補正対象項目名】００１２
【補正方法】変更
【補正の内容】
【００１２】
請求項２の部品集合体の含有化学物質の計算方法は、調査対象である製品又はアッセン部品である部品集合体が含有化学物質を規制する制度の規制対象となるか否かの判断材料を提供するために、前記部品集合体を構成する各部品の含有化学物質の情報が調査の結果により得られた場合にその情報を用いて、前記部品集合体の前記含有化学物質のうち少なくとも規制対象となる化学物質について前記部品集合体における含有量または含有率の少なくともいずれかを算出して表示し、前記部品集合体が規制対象となるか否かの評価を支援する含有化学物質収集情報の評価システムに用いる前記部品集合体の含有化学物質の算出方法において、
前記部品構成情報においてそれ以上部品構成情報を細分化できない部品である末端部品において、前記部品集合体に含まれる末端部品のうち、同じ構成の末端部品の個数である同構成部品個数を算出する第一の工程と、
前記同構成部品の中で、含有化学物質情報が回収された末端部品のうち、いずれか一つの末端部品に含まれる含有化学物質情報を参照して、その参照された末端部品の含有量に、前記同構成部品個数を乗じることによって、前記部品集合体全体中の前記同構成部品の全ての部品に含まれる含有化学物質の含有量の合計値を算出する第二の工程と、
異なる構成の末端部品についての前記同構成部品含有量合計値をすべて合算し、前記部品集合体全体の含有化学物質の含有量又は含有率の少なくともいずれかを化学物質ごとに算出する第三の工程とを有することを特徴とする。
【手続補正３】
【補正対象書類名】明細書
【補正対象項目名】００１７
【補正方法】変更
【補正の内容】
【００１７】
ここで、部品構成情報となるＢＯＭ（Ｂｉｌｌｓ  ｏｆ  Ｍａｔｅｒｉａｌ）情報とは、例えば、製品を頂点に製品を構成するアッセン部品、そのアッセン部品を構成する部品というように、階層分けやツリー状に表現可能な情報である。この部品構成情報における構成部品のうち、データ上、これ以上細分化できない末端の部品を末端部品と呼び、その末端部品を特定するための図番号を末端図番という。末端部品であるかどうかはＢＯＭ情報のデータ作成者が定義することができる。
【手続補正４】
【補正対象書類名】明細書
【補正対象項目名】００１８
【補正方法】変更
【補正の内容】
【００１８】
処理部１０２には、部品構成情報蓄積部１０４の構成部品の情報（ＢＯＭ情報）を参照し、同じ構成の末端部品である同構成部品を検索するとともに、同じ構成の部品の個数である同構成部品個数を把握する同構成部品把握手段１０８と、同構成部品把握手段１０８で把握された同じ構成の末端部品のうちいずれか一部品の含有化学物質情報を抽出する部品含有化学物質情報抽出手段１０９と、同構成部品のすべての部品に含まれる含有化学物質の含有量の合計値を算出する同構成部品含有量合計値算出手段１１０と、同構成部品含有量合計算出手段１１０によって得られた同構成部品の含有量合計値に同構成部品把握手段１０８で得られた同構成部品個数を乗じることで部品集合体全体の含有化学物質情報を算出する全体含有化学物質情報算出手段１１１と、図番回収率・重量回収率算出手段１１２と、本システムの情報を表示するための情報を作成する表示情報作成手段１１３とが備えられる。
【手続補正５】
【補正対象書類名】明細書
【補正対象項目名】００２０
【補正方法】変更
【補正の内容】
【００２０】
同構成部品把握手段１０８は、図１に示すように記憶部１０１において部品構成情報蓄積部１０４に記憶されている部品構成情報（ＢＯＭ情報）を参照し、部品構成上これ以上細分化できない末端部品と、同じ構成の末端部品と、その同じ構成の末端部品の個数である同構成部品を把握する（第一の工程）。
【手続補正６】
【補正対象書類名】明細書
【補正対象項目名】００２５
【補正方法】変更
【補正の内容】
【００２５】
図２及び図３のとおり、アッセン部品Ｊを構成する部品Ｂ（図番：ａ３１２）とアッセン部品Ｌを構成する部品Ｂ（図番：ａ３１２）は、図番が共通しているので、同構成部品であり、同構成部品個数は合計３個である。同様に部品Ｃについては、アッセン部品Ｋを構成する４個の部品Ｃ（図番：ａ３２１）とアッセン部品Ｌを構成する１個の部品Ｃ（図番：ａ３２１）は図番が共通しているので、同構成部品であり、同構成部品個数は５個である。アッセン部品Ｋを構成する部品Ｄ（図番：ａ３２２）は、個数が２個のため、同構成部品個数は２である。また、部品Ａ（図番：ａ３１１）は、他に同じ図番の部品が存在しないので、部品Ａは一つだけで同構成部品を構成するものとして扱うとともに、計算上、同構成部品個数は１個とする。
【手続補正７】
【補正対象書類名】明細書
【補正対象項目名】００３１
【補正方法】変更
【補正の内容】
【００３１】
次に同構成部品含有量合計値算出手段１１０について説明する。同構成部品含有量合計値算出手段１１０は、同構成部品のすべてについての含有化学物質の含有量の合計値を算出する（第二の工程）。この合計値の算出は、同構成部品について、部品含有化学物質情報抽出手段１０９により得られて計算データ蓄積部１０６に記憶された、同構成部品のうちの一部品あたりの含有化学物質の含有量に、同構成部品把握手段１０８によって得られ計算データ蓄積部１０６に記憶された同構成部品個数を乗じることにより行う。
【手続補正８】
【補正対象書類名】明細書
【補正対象項目名】００３３
【補正方法】変更
【補正の内容】
【００３３】
次に全体含有化学物質情報算出手段１１１において、記憶部１０１の計算データ蓄積部１０６に記憶された同構成部品の含有化学物質の合計値を参照して、化学物質ごとに加算して合計値を求めることにより製品に含まれる各含有化学物質の含有量を算出する（第三の工程）。
【手続補正９】
【補正対象書類名】明細書
【補正対象項目名】００５３
【補正方法】変更
【補正の内容】
【００５３】
１０１：記憶部、１０２：処理部、１０３：入出力部、１０４：部品構成情報蓄積部、１０５：部品含有化学物質情報蓄積部、１０６：計算データ蓄積部、１０７：規制物質情報蓄積部、１０８：同構成部品把握手段、１０９：部品含有化学物質情報抽出手段、１１０：同構成部品含有量合計値算出手段、１１１：全体含有化学物質情報算出手段
【手続補正１０】
【補正対象書類名】特許請求の範囲
【補正対象項目名】全文
【補正方法】変更
【補正の内容】
【特許請求の範囲】
【請求項１】
調査対象である製品又はアッセン部品である部品集合体が含有化学物質を規制する制度の規制対象となるか否かの判断材料を提供するために、前記部品集合体を構成する各部品の含有化学物質の情報が調査の結果得られた場合にその情報を回収し、前記各部品のうち含有化学物質の情報を回収できた部品である回収部品の含有化学物質情報を使用して前記部品集合体に含まれる少なくとも規制対象となる化学物質についてその化学物質ごとに含有量又は含有率の少なくともいずれかを表示し、前記部品集合体が規制対象となるか否かの評価を支援する含有化学物質収集情報の評価システムにおいて、
データを記憶する記憶部、演算処理をする処理部、データ又は信号を入出力する入出力部及びその入出力部に接続された表示手段を有し、
前記処理部には、
前記記憶部における部品構成情報蓄積部に記憶された部品構成情報を参照し、これ以上細分化できない部品である末端部品について、同じ構成の末端部品である同構成部品を検索し、前記末端部品のうち同じ構成の部品について、前記同構成部品である末端部品の部品集合体全体に含まれる個数である同構成部品個数を把握する同構成部品把握手段と
その検索された前記同構成部品のうち一つの末端部品の含有化学物質の含有量を、前記記憶部における部品含有化学物質情報蓄積部を参照して抽出する部品含有化学物質情報抽出手段と、
前記同構成部品のうち一つの末端部品の含有化学物質情報を抽出することによって得られた含有化学物質の含有量に、前記同構成部品個数を乗じることにより、部品集合体全体中の同じ構成の部品に含まれる含有化学物質含有量の合計値を化学物質ごとに算出する同構成部品含有量合計値算出手段と、
異なる構成の末端部品についての前記同構成部品含有量合計値をすべて合算し、前記部品集合体全体の含有化学物質の含有量又は含有率の少なくともいずれかを化学物質ごとに算出する全体含有化学物質情報算出手段とを有することを特徴とする含有化学物質収集情報の評価システム。
【請求項２】
調査対象である製品又はアッセン部品である部品集合体が含有化学物質を規制する制度の規制対象となるか否かの判断材料を提供するために、前記部品集合体を構成する各部品の含有化学物質の情報が調査の結果により得られた場合にその情報を用いて、前記部品集合体の前記含有化学物質のうち少なくとも規制対象となる化学物質について前記部品集合体における含有量または含有率の少なくともいずれかを算出して表示し、前記部品集合体が規制対象となるか否かの評価を支援する含有化学物質収集情報の評価システムに用いる前記部品集合体の含有化学物質の算出方法において、
前記部品構成情報においてそれ以上部品構成情報を細分化できない部品である末端部品において、前記部品集合体に含まれる末端部品のうち、同じ構成の末端部品の個数である同構成部品個数を算出する第一の工程と、
前記同構成部品の中で、含有化学物質情報が回収された末端部品のうち、いずれか一つの末端部品に含まれる含有化学物質情報を参照して、その参照された末端部品の含有量に、前記同構成部品個数を乗じることによって、前記部品集合体全体中の前記同構成部品の全ての部品に含まれる含有化学物質の含有量の合計値を算出する第二の工程と、
異なる構成の末端部品についての前記同構成部品含有量合計値をすべて合算し、前記部品集合体全体の含有化学物質の含有量又は含有率の少なくともいずれかを化学物質ごとに算出する第三の工程とを有することを特徴とする含有化学物質の算出方法。